(57)【特許請求の範囲】
【請求項１】
吸収体を備えた中央縦割りの半パンツ状物に形成されるＵ字形状部材からなり、使い捨ておむつと共に着用される使い捨て補助吸収具であって、
前記Ｕ字形状部材は、Ｕ字状の吸収体と、該吸収体より一回り面積が大きく該吸収体を挟持するＵ字状の２枚の外層シートと、該Ｕ字形状部材の凹部の周縁部に沿って伸張状態で配設される第１伸縮部材と、該Ｕ字形状部材における該凹部の反対側の端縁に沿って伸張状態で配設される第２伸縮部材とを有し、
前記第１伸縮部材及び前記第２伸縮部材は、２枚の前記外層シートで挟持され、前記第１伸縮部材は、前記Ｕ字形状部材の前記凹部の外周縁と、前記吸収体の前記凹部側の外周縁との間に配され、前記第２伸縮部材は、前記Ｕ字形状部材の前記端縁と、前記吸収体の前記凹部の反対側の外縁との間に配されて、前記Ｕ字形状部材の前記凹部及び前記端縁それぞれの周縁部に、ギャザーを形成しており、
前記吸収体の一面である表面を被覆した前記外層シートは、液透過性であり、
着用状態において、前記Ｕ字形状部材の前記凹部の周縁部が、１個のレッグ開口部の周縁部を形成し且つ着用者の一方の鼠径部を囲み覆って配されるようになしてあり、該Ｕ字形状部材は、一方の該鼠径部に連なる臀部から該鼠径部に連なる下腹部に亘って配されて、前記着用者の左半身又は右半身を被覆するようになしてある使い捨て補助吸収具。
【請求項２】
前記吸収体の他面である裏面の少なくとも一部を被覆した前記外層シートは、液透過性である請求項１記載の使い捨て補助吸収具。
【請求項３】
前記吸収体の他面である裏面の少なくとも一部を被覆した前記外層シートは、液不透過性である請求項１記載の使い捨て補助吸収具。
【請求項４】
前記Ｕ字形状部材には、前記凹部を挟む一対の側部それぞれの先端部を脱着自在に止着して、前記レッグ開口部を有する該Ｕ字形状部材の半パンツ状物を形成する止着手段が設けられている請求項１〜３の何れかに記載の使い捨て補助吸収具。
【請求項５】
前記Ｕ字形状部材は、前記凹部を挟む一対の側部それぞれの先端部が接合されて、前記レッグ開口部を有する半パンツ状物に形成されている請求項１〜３の何れかに記載の使い捨て補助吸収具。
【発明の詳細な説明】
【０００１】
【発明の属する技術分野】
本発明は、使い捨ておむつと共に着用される使い捨て補助吸収具に関し、特に、自由に動けず長時間横向きで寝ている老人等に対して使い捨ておむつと併用することにより、尿等の漏れを一層確実に防止することのできる使い捨て補助吸収具に関する。
【０００２】
【従来の技術及び発明が解決しようとする課題】
自由に動けず長時間横向きで寝ている老人等に対して使い捨ておむつを着用すると、使い捨ておむつにおける下方側のウエスト開口部又はレッグ開口部から尿等が漏れがちであった。
【０００３】
従って、本発明の目的は、自由に動けず長時間横向きで寝ている老人等に対して使い捨ておむつを使用する場合に、この使い捨ておむつと併用することにより、使い捨ておむつのウエスト開口部及びレッグ開口部からの漏れを一層確実に防止することのできる使い捨て補助吸収具を提供することにある。
【０００４】
【課題を解決するための手段】
本発明は、中央縦割りの半パンツ状物に形成されるＵ字形状部材、又は中央縦割りの半パンツ状物に形成されたＵ字形状部材からなり、使い捨ておむつと共に着用される使い捨て補助吸収具であって、前記Ｕ字形状部材は、吸収体及び該吸収体の表面を被覆した液透過性の外層シートを備えており、着用状態において、前記Ｕ字形状部材の凹部の周縁部が、１個のレッグ開口部の周縁部を形成し且つ着用者の一方の鼠径部を囲み覆うように配されるようになしてあり、該Ｕ字形状部材は、該鼠径部側の臀部及び下腹部それぞれの半身を被覆するようになしてある使い捨て補助吸収具を提供することにより、前記の目的を達成したものである。
【０００５】
【発明の実施の形態】
以下、本発明の使い捨て補助吸収具を、その実施形態について、図面を参照しながら詳細に説明する。
【０００６】
第１実施形態の使い捨て補助吸収具１０は、図１及び図４に示すように、中央縦割りの半パンツ状物に形成されるＵ字形状部材１からなり、使い捨ておむつと共に着用される使い捨て補助吸収具であって、前記Ｕ字形状部材１は、吸収体２、該吸収体２の表面を被覆した液透過性の不織布からなる外層シート３ａ、及び該吸収体２の裏面を被覆した液不透過性の不織布からなる外層シート３ｂを備えており、着用状態において、前記Ｕ字形状部材１の凹部１１の周縁部１１ａが、１個のレッグ開口部の周縁部を形成し且つ着用者Ｐの一方の鼠径部Ｐ１を囲むように配されるようになしてあり、該Ｕ字形状部材１は、該鼠径部Ｐ１側の臀部及び下腹部Ｐ２それぞれの半身を被覆するようになしてある。
【０００７】
前記Ｕ字形状部材１においては、図１（ａ）及び（ｂ）に示すように、１条の伸縮部材４ａが凹部１１の周縁部１１ａに沿って配設され、２条の伸縮部材４ｂがＵ字形状部材１における凹部１１に対する端縁１３に沿って配設されている。そして、該伸縮部材４ａ、Ｕ字状の該吸収体２及び該伸縮部材４ｂが、該吸収体２より一回り面積の大きなＵ字状の外層シート３ａ、３ｂに挟持されて被覆されている。該伸縮部材４ａ、４ｂによって、それぞれ凹部１１の周縁部１１ａに沿うギャザー及び端縁１３に沿うギャザーが形成されている。
【０００８】
前記Ｕ字形状部材１は、前記凹部１１を挟む一対の側部１２、１２’それぞれの先端部１２ａ、１２ａ’を脱着自在に止着して、前記レッグ開口部を有する該Ｕ字形状部材１の半パンツ状物を形成する止着手段であるファスニングテープ５が、一方の先端部１２ａにおける外層シート３ｂの表面に設けられている。
【０００９】
前記ファスニングテープ５は、基材５１の表面に粘着剤の塗布された止着部５２が形成されてなるテープであり、外層シート３ｂの表面の任意の位置において該止着部５２が貼着されて、Ｕ字形状部材１の側部１２、１２’の先端部１２ａ、１２ａ’が止着されるようになされている。
【００１０】
そして、Ｕ字形状部材１は、図４に示すように、ファスニングテープ５と外層シート３ｂの表面とを貼着させて該Ｕ字形状部材１の前記側部１２、１２’を止着することにより、該Ｕ字形状部材１の半パンツ状物が形成されるようになされている。
【００１１】
半パンツ状物に形成されるＵ字形状部材からなる第１実施形態の使い捨て補助吸収具においては、以下に示すように、その構成を適宜変更することができる。例えば、凹部１１の周縁部１１ａに沿って配設された伸縮部材４ａ、Ｕ字形状部材１の端縁１３に沿って配設された伸縮部材４ｂは、必要に応じ、省略されていてもよい。また、外層シート３ｂは、外層シート３ａと同一又は異なる液透過性シートとしても良く、更に、表面側を覆う外層シート３ａを折り返して、裏面側を覆う外層シート３ｂを構成しても良い。外層シート３ｂを液透過性シートとした場合には、外層シート３ｂの外側に防水シートを設けても良い。
【００１２】
第２実施形態の使い捨て補助吸収具１０は、図２及び図４に示すように、中央縦割りの半パンツ状物に形成されたＵ字形状部材１からなり、使い捨ておむつと共に着用される使い捨て補助吸収具であって、前記Ｕ字形状部材１は、吸収体及び該吸収体の表面を被覆した液透過性の外層シートを備えており、着用状態において、前記Ｕ字形状部材１の凹部１１の周縁部１１ａが、１個のレッグ開口部の周縁部を形成し且つ着用者Ｐの一方の鼠径部Ｐ１を囲むように配されるようになしてあり、該Ｕ字形状部材１は、該鼠径部Ｐ１側の臀部及び下腹部Ｐ２それぞれの半身を被覆するようになしてある。
第２実施形態の使い捨て補助吸収具は、Ｕ字形状部材１の側部１２、１２’を接合部７において固着させた構成としてあり、図２に示すように、該接合部７が着用者の体側に配置された構成にすることができ、また、図３に示すように、該接合部７が着用者の股下部に配置された構成にすることもできる。
【００１３】
尚、図２及び図３においては、使い捨て補助吸収具を概略図で示しているが、そのＵ字形状部材１は、図１に示す第１実施形態の使い捨て補助吸収具におけるＵ字形状部材と同様な構成を有するものである。
この第２実施形態の使い捨て補助吸収具においても、伸縮部材又は防水シートを適宜設けることができる。
【００１４】
以下に、第１実施形態の使い捨て補助吸収具の第１使用形態について詳述する。先ず、図４に示すように、図１に示す第１実施形態の使い捨て補助吸収具１０によって、Ｕ字形状部材１の凹部１１の周縁部１１ａが１個のレッグ開口部を形成し且つ着用者Ｐの一方の鼠径部Ｐ１を囲み覆うように配されるようにして、着用者Ｐの鼠径部Ｐ１側の臀部及び下腹部Ｐ２それぞれの半身（左半身）を被覆する。この際、ファスニングテープ５の止着位置を適宜調整して、使い捨て補助吸収具１０が適度な締め付け性（フィット性）を有するようにする。また、使い捨て補助吸収具１０は、Ｕ字形状部材１の側部１２’の先端部１２ａ’及び側部１２の先端部１２ａが着用者の体側Ｐ３に配置される。
【００１５】
そして、展開型の使い捨ておむつ（図示せず）を重ねて着用した後、使い捨て補助吸収具１０が下向きになるように、着用者に横たわってもらえばよい（着用者が自力で動けない場合には、おむつ交換者が着用者の向きを変える）。
【００１６】
このようにして、使い捨ておむつと共に使い捨て補助吸収具１０を着用すると、使い捨ておむつの内側下方に使い捨て補助吸収具が配置されるので、着用者Ｐの胴回り部Ｐ１又は鼠径部Ｐ２近傍に伝わる尿等は、使い捨て補助吸収具１０において吸収され、使い捨ておむつからの漏れが生じ難くなる。
特に、大人のように尿等の量が多い場合には効果的であり、尿等の量に対して使い捨て補助吸収具の吸収量が充分に多い場合には、使い捨ておむつを汚すことがなく、使い捨ておむつを再利用することができる。
【００１７】
図１に示す第１実施形態の使い捨て補助吸収具においては、外層シート３ｂが設けられており、特に、本実施形態のように外層シート３ｂが液不透過性シートの場合には、使い捨て補助吸収具の外表面から尿等がしみ出すことを確実に防止することができる。また、図１に示す第１実施形態の使い捨て補助吸収具においては、伸縮部材４ａにより、凹部１１の周縁部１１ａに沿うギャザーが形成されるので、該使い捨て補助吸収具が着用者Ｐの鼠径部Ｐ１にフィットする。従って、使い捨ておむつの着用時におけるレッグ開口部から尿等の漏れを一層確実に防止することができる。
【００１８】
本発明の使い捨て補助吸収具においては、前記第１使用形態とは装着時におけるファスニングテープ（止着手段）の配置位置を変えた第２使用形態で使用することができる。
即ち、図５に示すように、図１に示す使い捨て補助吸収具１０を、Ｕ字形状部材１の側部１２’の先端部１２ａ’及び側部１２の先端部１２ａが着用者Ｐの股下部Ｐ４に配されるようにして、着用者Ｐに装着することができる。
【００１９】
以上、本発明の使い捨て補助吸収具を、その好ましい実施形態について説明したが、本発明の使い捨て補助吸収具は、前述した実施形態に制限されることなく、本発明の趣旨を逸脱しない限り適宜変更が可能である。
本発明の実施形態においては、吸収体の裏面の少なくとも一部が液透過性の外層シート又は液不透過性の外層シートで被覆されていればよく、例えば、図１に示す実施形態のように、吸収体の裏面の全面が外層シートで被覆されていなくてもよい。また、本発明の実施形態においては、前記Ｕ字形状部材の凹部の周縁部に沿って伸縮部材が配設されていれば、何れの実施形態のおいても、伸縮部材の配設位置及び配設本数は制限されず、例えば、図１に示す実施形態のように、Ｕ字形状部材の凹部の周縁部及び端縁に伸縮部材が配設されていなくてもよい。
更に、吸収体の厚さ等の形態、外層シートの形態、伸縮部材の形態・本数・配置（ギャザーの伸縮強さ）、防水シートの形態・有無・被覆する領域及び止着手段（ファスニングテープ）の形態・個数等を適宜変更することができる。
【００２０】
吸収体２の形成素材としては、使い捨ておむつにおける吸収体として通常用いられる素材を、外層シート３ａの形成素材としては、使い捨ておむつにおける液透過性の表面シート等として通常用いられる素材を、特に制限なく用いることができる。外層シート３ｂが液不透過性の場合、その素材としては、同様に特に制限なく用いることができる。
【００２１】
伸縮部材４ａ、４ｂとしては、それぞれ糸ゴムの様な線状のものの他、幅広の帯状（平ゴム含む）、薄膜状のもの、更にはフォーム材等を用いることができ、該伸縮部材４ａ、４ｂの形成素材としては、それぞれ、天然ゴムの他、スチレン−ブタジエン、ブタジエン、イソプレン、ネオプレン等の合成ゴム、ＥＶＡ、伸縮性ポリオレフィン、ウレタン等の伸縮性の素材を特に制限なく用いることができる。
【００２２】
また、防水シートは、外層シートに、その全面を被覆するように設けてもよく、その面の一部を被覆するように設けてもよい。ファスニングテープが機械的ファスナーのオス部材からなる場合に、それに対応する部分において防水シートがフィルムの場合には、防水シートを部分的に設けず外層シートの表面を露出させて、前記オス部材をこの外層シートの露出部に係合させる構成とすることもできる。また、外層シートの全面を不織布で被覆することもできる。
【００２３】
止着手段（ファスニングテープ）としては、外層シートの表面の適当な位置に機械的ファスナーのオス部材及びメス部材を配し、該オス部材と該メス部材とを係合させて止着するように構成することができる。
また、フィルム状の防水シートの設けられていない使い捨て補助吸収具においては、ファスニングテープを機械的ファスナーのオス部材からなるものとし、外層シートの表面の任意の位置において該オス部材が係合されて、Ｕ字形状部材の側部の先端部が止着されるように構成することもできる。
【００２４】
また、第１実施形態の使い捨て補助吸収具においては、Ｕ字形状部材１の側部１２、１２’の両先端部１２ａ、１２ａ’にそれそれファスニングテープを設け、２個の該ファスニングテープを位置をずらして該両先端部１２ａ、１２ａ’を止着し半パンツ状物を形成すると、該ファスニングテープ同士がそれぞれズレ止めの役目を果たすことになるので、使い捨て補助吸収具の締め付け（フィット性）効果を確実に維持することができる。
【００２５】
また、吸収体における着用者に対する側の凹部の周縁部が、撥水性を有するようにしてもよい。
【００２６】
本発明の使い捨て補助吸収具における「半パンツ状物」は、完全な半パンツ状（図４及び図５参照）に限定されず、一部が欠けた形状（図６参照）又は一部が延出した形状（図７参照）も含む。
【００２７】
前述した第１使用形態及び第２使用形態においては、本発明の使い捨て補助吸収具を展開型の使い捨ておむつと組み合わせて使用しているが、本発明の使い捨て吸収具においては、これに限らず、パンツ型の使い捨ておむつと組み合わせて使用しても同様の効果が得られる。
【００２８】
【発明の効果】
本発明の使い捨て補助吸収具によれば、自由に動けず長時間横向きで寝ている老人等に対して使い捨ておむつを使用する場合に、使い捨ておむつのウエスト開口部及びレッグ開口部からの漏れを一層確実に防止することができる。
【図面の簡単な説明】
【図１】本発明の第１実施形態の使い捨て補助吸収具を示す図で、（ａ）は半パンツ状物に形成される前のＵ字形状部材を示す正面図、（ｂ）は（ａ）に示すＡ−Ａ断面図である。
【図２】本発明の第２実施形態の使い捨て補助吸収具を示す概略斜視図である。
【図３】本発明の第２実施形態の使い捨て補助吸収具の変形例を示す概略斜視図である。
【図４】本発明の使い捨て補助吸収具の第１使用形態を示す概略正面図である。
【図５】本発明の使い捨て補助吸収具の第２使用形態を示す概略正面図である。
【図６】本発明の第１実施形態の使い捨て補助吸収具の変形例を示す概略正面図である。
【図７】本発明の第１実施形態の使い捨て補助吸収具の変形例を示す概略正面図である。
【符号の説明】
１  Ｕ字形状部材
２  吸収体
３ａ、３ｂ  外層シート
４ａ、４ｂ  伸縮部材
５、５ａ、５ｂ  ファスニングテープ（止着手段）
６  防水シート
７  接合部
１０  使い捨て補助吸収具
１１、１１’  凹部
１１ａ、１１ａ’  周縁部
１２、１２’  側部
１２ａ、１２ａ’  先端部
Ｐ  着用者
Ｐ１  鼠径部
Ｐ２  下腹部
【図１】
0004311864.tif 000002
【図２】
0004311864.tif 000003
【図３】
0004311864.tif 000004
【図４】
0004311864.tif 000005
【図５】
0004311864.tif 000006
【図６】
0004311864.tif 000007
【図７】
0004311864.tif 000008